【手続補正書】
【提出日】平成19年8月7日(2007.8.7)
【手続補正１】
【補正対象書類名】特許請求の範囲
【補正対象項目名】全文
【補正方法】変更
【補正の内容】
【特許請求の範囲】
【請求項１】
処理した手袋であって、
硬化したラテックス材および該ラテックス材の内部表面に吸湿性フィルムを含有し、
フィルムが水、グリセロールおよび植物抽出物を含む、
処理した手袋。
【請求項２】
水が各手袋につき約３０ｍｇ〜約９０ｍｇの範囲の量で存在する、請求項１に記載の処理した手袋。
【請求項３】
植物抽出物が、カモミール、アロエベラ、ホホバ、アロエバルファデニス抽出物、トケイソウ抽出物、キュウリ抽出物、ヒレハリソウ葉抽出物、サボンソウ、オフィシナリス抽出物、ミルラ抽出物、ユーカリ抽出物、海藻抽出物およびそれらの組み合わせからなる群より選ばれる、請求項１に記載の処理した手袋。
【請求項４】
植物抽出物がカモミールである、請求項３に記載の処理した手袋。
【請求項５】
植物抽出物がアロエベラである、請求項３に記載の処理した手袋。
【請求項６】
植物抽出物がアロエベラおよびカモミールの抽出物の組み合わせである、請求項３に記載の処理した手袋。
【請求項７】
手袋が、天然ゴムラテックス、アクリロニトリル、ポリ塩化ビニル、ポリクロロプレン、ポリイソプレン、カルボキシル化ニトリル、ポリウレタン、スチレン−ブタジエンまたは天然ゴムラテックスと合成ラテックスとの混合物を含む、請求項１に記載の処理した手袋。
【請求項８】
フィルムが、増粘剤、ブロッキング防止ワックス、湿潤剤、香料、保存料、またはそれらの組み合わせをさらに含む、請求項１に記載の処理した手袋。
【請求項９】
増粘剤が、カルボキシメチルセルロース、ヒドロキシエチルセルロース、および多糖ガムからなる群より選ばれる、請求項８に記載の処理した手袋。
【請求項１０】
ブロッキング防止ワックスがポリプロピレンワックスである、請求項８に記載の処理した手袋。
【請求項１１】
湿潤剤がノニルフェノールエトキシレートまたは脂肪アルコールエトキシレートである、請求項８に記載の処理した手袋。
【請求項１２】
フィルムが、バニラ、ライラック、ジャスミン、バラ、レモンフローラル、いちご、クチナシ、りんごスパイス、バナナ、かぼちゃスパイス、カーネーション、ハニーキウイ、タンジェリン、マンダリン、ペパーミント、マンゴー、すみれ、イランイラン、カシス、ベルガモット、グレープフルーツ、ローズマリー、およびそれらの組み合わせからなる群より選ばれる香料をさらに含む、請求項８に記載の処理した手袋。
【請求項１３】
保存料がクエン酸と安息香酸塩との組み合わせである、請求項８に記載の処理した手袋。
【請求項１４】
フィルムを手袋の内部表面に適用する方法であって、
（ａ）硬化した手袋を水洗すること、
（ｂ）工程（ａ）の水洗した手袋を回転式乾燥機中にて、約４８〜約５５℃の温度で乾燥すること、
（ｃ）水洗した手袋が乾燥されながらも部分的に湿っている間に、水、保湿剤および植物抽出物を含む溶液を、回転式乾燥機の中に噴霧すること、並びに
（ｄ）洗浄した手袋の内部表面上に、該水、該保湿剤および該植物抽出物の一部を含むフィルムが形成するまで、手袋を乾燥すること
を含む、方法。
【請求項１５】
保湿剤がグリセロールを含む、請求項１４に記載の方法。
【請求項１６】
植物抽出物が、カモミール 、アロエベラ、ホホバ、アロエバルファデニス抽出物、トケイソウ抽出物、キュウリ抽出物、ヒレハリソウ葉抽出物、サボンソウ、オフィシナリス抽出物、ミルラ抽出物、ユーカリ抽出物、海藻抽出物およびそれらの組み合わせからなる群より選ばれる、請求項１４に記載の方法。
【請求項１７】
植物抽出物がカモミールである、請求項１６に記載の方法。
【請求項１８】
植物抽出物がアロエベラである、請求項１６に記載の方法。
【請求項１９】
植物抽出物がアロエベラおよびカモミールの抽出物との組み合わせである、請求項１６に記載の方法。
【請求項２０】
水が、溶液の全体重量に基づいて約８５〜約９５ｗｔ％の範囲の量で溶液中に存在する、請求項１４に記載の方法。
【請求項２１】
グリセロールが、溶液の全体重量に基づいて約１〜約７ｗｔ％の範囲の量で溶液中に存在する、請求項１５に記載の方法。
【請求項２２】
植物抽出物がカモミールであり、カモミールが、溶液の全体重量に基づいて約０．０５〜約０．５ｗｔ％の範囲の量で溶液中に存在する、請求項１４に記載の方法。
【請求項２３】
溶液が、増粘剤、ブロッキング防止ワックス、湿潤剤、香料および保存料をさらに含む、請求項１４に記載の方法。
【請求項２４】
増粘剤が、溶液の全体重量に基づいて約０．１〜約０．３ｗｔ％の範囲の量で溶液中に存在する、請求項２３に記載の方法。
【請求項２５】
ブロッキング防止ワックスが、溶液の全体重量に基づいて約２〜約５ｗｔ％の範囲の量で溶液中に存在する、請求項２３に記載の方法。
【請求項２６】
湿潤剤が、溶液の全体重量に基づいて約０．３〜約０．９ｗｔ％の範囲の量で溶液中に存在する、請求項２３に記載の方法。
【請求項２７】
香料が、溶液の全体重量に基づいて約２〜約８ｗｔ％の範囲の量で存在する、請求項２３に記載の方法。
【請求項２８】
ヒトの手に潤いを与える方法であって、
硬化したラテックス材および該ラテックス材の内部表面に吸湿性フィルムを含有する手袋を着用することを含み、
フィルムが水、グリセロールおよび植物抽出物を含むものである、
方法。
【請求項２９】
植物抽出物がカモミールである、請求項２８に記載の方法。
【請求項３０】
植物抽出物がアロエベラである、請求項２８に記載の方法。
【請求項３１】
植物抽出物がカモミールとアロエベラとの組み合わせである、請求項２８に記載の方法。
【請求項３２】
各手袋につき、水が約３０ｍｇ〜約９０ｍｇの範囲の量で存在する、請求項２８に記載の方法。
【請求項３３】
フィルムを手袋の内部および外部表面に適用する方法であって、
（ａ）硬化した手袋を水洗すること、
（ｂ）工程（ａ）の水洗した手袋を回転式乾燥機中にて、約４８〜約５５℃の温度で乾燥すること、
（ｃ）水洗した手袋が乾燥されながらも部分的に湿っている間に、水、保湿剤および植物抽出物を含む溶液を、回転式乾燥機の中に噴霧すること、
（ｄ）水洗した手袋の外部表面に水性シリコーンエマルジョンを噴霧すること、並びに
（ｅ）手袋の内部表面上に該水、該保湿剤および該植物抽出物の一部を含むフィルムが形成され、かつ、外部表面上にシリーコン被膜が形成されるまで、手袋を乾燥すること
を含む、方法。
【請求項３４】
保湿剤がグリセロールを含み、溶液が、増粘剤、ブロッキング防止ワックス、湿潤剤、香料、保存料および別噴霧の水性シリコーンエマルジョンをさらに含む、請求項３３に記載の方法。
【請求項３５】
水性シリコーンエマルジョンが、溶液の全体重量に基づいて約０．５〜約４．０ｗｔ％の範囲の量で溶液中に存在する、請求項３４に記載の方法。
【請求項３６】
水性シリコーンエマルジョンが、約１．０〜約２．０ｗｔ％の範囲の量で存在する、請求項３５に記載の方法。
【請求項３７】
処理した手袋であって、
硬化したラテックス材および該ラテックス材の内部表面に吸湿性フィルムを含有し、
フィルムが水、保湿剤および植物抽出物を含む、
処理した手袋。
【請求項３８】
植物抽出物がアロエベラである、請求項３７に記載の手袋。
【請求項３９】
植物抽出物がカモミールである、請求項３７に記載の手袋。
【請求項４０】
水が各手袋につき約３０ｍｇ〜約９０ｍｇの範囲の量で存在する、請求項３７に記載の手袋。
【手続補正２】
【補正対象書類名】明細書
【補正対象項目名】０００５
【補正方法】変更
【補正の内容】
【０００５】
特許文献１は、脱水されたアロエベラのフィルムを手袋の内部表面に含む使い捨て手袋に関する。この特許は、アロエベラの溶液を手袋の内部表面に適用すること、次いで水が脱水されるまで手袋を加熱し、脱水されたアロエベラのフィルムを手袋の内部表面に残すこと、について記載している。水が完全に脱水されているため、手袋の内部表面はいずれの有意量の水分も含有していない。水分がないため、脱水されたアロエベラは粉末として剥がれ、それによりいずれの保湿効果も最小になる。
その他の関連する先行技術文献として、下記特許文献２〜９が挙げられる。
【特許文献１】米国特許第６，２７４，１５４号
【特許文献２】米国特許第６，１５３，２０９号
【特許文献３】米国特許第６，１１７，１１９号
【特許文献４】米国特許第５，９４５，４０９号
【特許文献５】米国特許第５，６１４，２０２号
【特許文献６】米国特許第６，１６８，７９８号
【特許文献７】米国特許第４，８２０，５０８号
【特許文献８】米国特許第５，０１９，０９６号
【特許文献９】国際公開第９４／１２１１５号パンフレット